(57)【要約】【課題】音声用マイク部品の音孔を機器ケース内の空間から遮蔽し、しかも、容易に組立てることができるマイク付きデジタルカメラを提供する。【解決手段】マイク孔５を有するカメラケース１内に、一方の面の所定箇所に、外部音を取込むための音孔３を有し内部にマイクロフォン素子１５を収容した音声用マイク部品１１ａとカメラ内ノイズ用マイク部品１１ｂを、その音孔形成面とは反対面をボンディングして搭載した回路基板１０を、音声用マイク部品１１ａの音孔１３をカメラケース１のマイク孔５に対向させて配置し、２つのマイク部品１１ａ，１１ｂに、音声用マイク部品１１ａの音孔１３に対応する貫通孔１８を有するキャップ状防音部材１７を被せ、回路基板１０を、マイク部品１１ａ，１１ｂの音孔形成面とカメラケース１のマイク孔形成面との間に防音部材１７を圧縮状態で挟持させてカメラケース１内に固定した。【選択図】図３
2006352342.tif 000002
【特許請求の範囲】
【請求項１】
マイク孔を有する機器ケース内に、一方の面の所定箇所に、外部音を取込むための音孔を有し内部にマイクロフォン素子を収容した音声用マイク部品を、その音孔形成面とは反対面をボンディングして搭載した回路基板が、前記マイク部品の音孔を前記機器ケースのマイク孔に対向させて配置されるとともに、前記マイク部品に対応させて、前記マイク部品の少なくとも音孔形成面に当接する形状を有し、前記マイク部品の音孔に対応する貫通孔が設けられた気密性弾性材からなる防音部材が設けられ、前記回路基板が、前記マイク部品の音孔形成面と前記機器ケースのマイク孔形成面との間に前記防音部材を圧縮状態で挟持させて前記機器ケース内に固定されていることを特徴とするマイク付き電子機器。
【請求項２】
防音部材は、マイク部品の音孔形成面に当接する頂面部と前記マイク部品の周囲を囲む周面部とを有し、前記頂面部に前記マイク部品の音孔に対応する貫通孔が設けられたキャップ状部材からなっており、前記マイク部品に被せて設けられていることを特徴とする請求項１に記載のマイク付き電子機器。
【請求項３】
キャップ状防音部材の周面部は、その端面が回路基板面に密着する高さを有していることを特徴とする請求項２に記載のマイク付き電子機器。
【請求項４】
マイク部品の音孔形成面とキャップ状防音部材の頂面部との間に、少なくとも前記防音部材の貫通孔の全域に対応する防塵ネットが設けられていることを特徴とする請求項１に記載のマイク付き電子機器。
【請求項５】
回路基板の一方の面に、音声用マイク部品と隣り合わせて、前記音声用マイク部品と同構造の機器内ノイズ用マイク部品が、その音孔形成面とは反対面をボンディングして搭載されており、前記音声用とノイズ用の２つのマイク部品に、その２つのマイク部品の音孔形成面に当接する頂面部と前記２つのマイク部品の周囲を囲む周面部とを有し、前記頂面部に、前記２つのマイク部品のうちの少なくとも音声用マイク部品の音孔に対応する貫通孔が設けられたキャップ状防音部材が被されていることを特徴とする請求項４または５に記載のマイク付き電子機器。
【発明の詳細な説明】
【技術分野】
【０００１】
この発明はマイク付き電子機器に関する。
【背景技術】
【０００２】
例えば携帯電話機や、動画及び音声の収録機能を備えたデジタルカメラ等のマイク付き電子機器のマイク部は、機器ケースにマイク孔を設け、前記機器ケース内に、外部音を取込むための音孔を有し、内部にマイクロフォン素子を収容した音声用マイク部品を配置して構成されている。
【０００３】
この種のマイク付き電子機器においては、音声用マイク部品に機器内のノイズ音を拾わせないようにするために、前記マイク部品を、その音孔を機器ケース内の空間から遮蔽して設けることが望まれている。
【０００４】
そのため、従来は、前記マイク部品を、筒状に形成されたゴム製の防音ホルダ内に配置し、この防音ホルダを機器ケース内に、前記防音ホルダの開口部を前記機器ケースのマイク孔に対向させ、その開口部の周縁を前記機器ケースの内面に密着させて配置している（特許文献１参照）。
【特許文献１】特開平８―２９４１９３号公報
【発明の開示】
【発明が解決しようとする課題】
【０００５】
しかし、従来のマイク付き電子機器は、マイク部品を筒状の防音ホルダ内に配置しているため、機器ケース内に配置された回路基板と前記マイク部品とを、リード線により、そのリード線を前記防音ホルダの周面部を貫通させて引き回して接続しなければならず、そのために、電子機器の組立てが面倒である。
【０００６】
この発明は、音声用マイク部品の音孔を機器ケース内の空間から遮蔽し、しかも、容易に組立てることができるマイク付き電子機器を提供することを目的としたものである。
【課題を解決するための手段】
【０００７】
この発明のマイク付き電子機器は、マイク孔を有する機器ケース内に、一方の面の所定箇所に、外部音を取込むための音孔を有し内部にマイクロフォン素子を収容した音声用マイク部品を、その音孔形成面とは反対面をボンディングして搭載した回路基板が、前記マイク部品の音孔を前記機器ケースのマイク孔に対向させて配置されるとともに、前記マイク部品に対応させて、前記マイク部品の少なくとも音孔形成面に当接する形状を有し、前記マイク部品の音孔に対応する貫通孔が設けられた気密性弾性材からなる防音部材が設けられ、前記回路基板が、前記マイク部品の音孔形成面と前記機器ケースのマイク孔形成面との間に前記防音部材を圧縮状態で挟持させて前記機器ケース内に固定されていることを特徴とする。
【０００８】
この発明のマイク付き電子機器において、前記防音部材は、前記マイク部品の音孔形成面に当接する頂面部と前記マイク部品の周囲を囲む周面部とを有し、前記頂面部に前記マイク部品の音孔に対応する貫通孔が設けられたキャップ状部材とし、このキャップ状防音部材を、前記マイク部品に被せて設けるのが望ましい。
【０００９】
その場合、前記キャップ状防音部材の周面部は、その端面が回路基板面に密着する高さを有しているのが好ましい。
【００１０】
さらに、この発明のマイク付き電子機器においては、前記マイク部品の音孔形成面と前記キャップ状防音部材の頂面部との間に、少なくとも前記防音部材の貫通孔の全域に対応する防塵ネットを設けるのが望ましい。
【００１１】
また、この発明のマイク付き電子機器は、前記回路基板の一方の面に、前記音声用マイク部品と隣り合わせて、前記音声用マイク部品と同構造の機器内ノイズ用マイク部品を、その音孔形成面とは反対面をボンディングして搭載し、前記音声用とノイズ用の２つのマイク部品に、その２つのマイク部品の音孔形成面に当接する頂面部と前記２つのマイク部品の周囲を囲む周面部とを有し、前記頂面部に、前記２つのマイク部品のうちの少なくとも音声用マイク部品の音孔に対応する貫通孔が設けられたキャップ状防音部材を被せた構成としてもよい。
【発明の効果】
【００１２】
この発明のマイク付き電子機器は、マイク孔を有する機器ケース内に、一方の面の所定箇所に、外部音を取込むための音孔を有し内部にマイクロフォン素子を収容した音声用マイク部品を、その音孔形成面とは反対面をボンディングして搭載した回路基板を、前記マイク部品の音孔を前記機器ケースのマイク孔に対向させて配置するとともに、前記マイク部品に対応させて、前記マイク部品の少なくとも音孔形成面に当接する形状を有し、前記マイク部品の音孔に対応する貫通孔が設けられた気密性弾性材からなる防音部材を設け、前記回路基板を、前記マイク部品の音孔形成面と前記機器ケースのマイク孔形成面との間に前記防音部材を圧縮状態で挟持させて前記機器ケース内に固定しているため、前記マイク部品の音孔を前記防音部材により前記機器ケース内の空間から遮蔽し、前記マイク部品に機器内のノイズ音を拾わせないようにすることができる。
【００１３】
しかも、このマイク付き電子機器は、前記マイク部品を前記回路基板に搭載し、前記防音部材を、前記マイク部品の音孔形成面と前記機器ケースのマイク孔形成面との間に挟持させているため、電子機器の組立て工程を簡略化し、容易に組立てることができる。
【００１４】
この発明のマイク付き電子機器において、前記防音部材は、前記マイク部品の音孔形成面に当接する頂面部と前記マイク部品の周囲を囲む周面部とを有し、前記頂面部に前記マイク部品の音孔に対応する貫通孔が設けられたキャップ状部材とし、このキャップ状防音部材を、前記マイク部品に被せて設けるのが望ましく、このようにすることにより、機器内のノイズ音が前記マイク部品の周面に伝わるのを防ぎ、より効果的に、前記音声用マイク部品に機器内のノイズ音を拾わせないようにするとともに、電子機器の組立てをさらに容易にすることができる。
【００１５】
その場合、前記キャップ状防音部材の周面部は、その端面が回路基板面に密着する高さを有しているのが好ましく、このようにすることにより、さらに効果的に、前記音声用マイク部品に機器内のノイズ音を拾わせないようにすることができる。
【００１６】
さらに、この発明のマイク付き電子機器においては、前記マイク部品の音孔形成面と前記キャップ状防音部材の頂面部との間に、少なくとも前記防音部材の貫通孔の全域に対応する防塵ネットを設けるのが望ましく、このようにすることにより、前記機器ケースのマイク孔から入り込む塵による前記マイク部品の性能低下や故障を防ぐことができる。
【００１７】
また、この発明のマイク付き電子機器は、前記回路基板の一方の面に、前記音声用マイク部品と隣り合わせて、前記音声用マイク部品と同構造の機器内ノイズ用マイク部品を、その音孔形成面とは反対面をボンディングして搭載し、前記音声用とノイズ用の２つのマイク部品に、その２つのマイク部品の音孔形成面に当接する頂面部と前記２つのマイク部品の周囲を囲む周面部とを有し、前記頂面部に、前記２つのマイク部品のうちの少なくとも音声用マイク部品の音孔に対応する貫通孔が設けられたキャップ状防音部材を被せた構成としてもよく、このようにすることにより、前記キャップ状防音部材で遮られずに前記音声用マイク部品に拾われた機器内ノイズと同じノイズを前記ノイズ用マイク部品に拾わせ、前記音声用マイク部品の出力信号から前記ノイズ用マイク部品の出力信号をキャンセルする信号処理により、機器内ノイズを含まない良好な音声信号を得ることができる。
【発明を実施するための最良の形態】
【００１８】
図１〜図４はこの発明をマイク付きデジタルカメラに適用した一実施例を示しており、図１はマイク付きデジタルカメラの斜視図、図２は前記デジタルカメラのマイク部を切開した斜視図、図３は前記マイク部の拡大断面図及び分解斜視図である。
【００１９】
このマイク付きデジタルカメラは、静止画撮像機能と、動画及び音声の撮像録音機能とを備えた薄型カメラであり、そのケース（以下、カメラケースという）１は、左右方向の長さが８０〜９０ｍｍ、高さが５０〜６０ｍｍ、前後面間の厚さが１５〜２５ｍｍの矩形状ケースからなっている。
【００２０】
このカメラケース１の前面には、その一端側に化粧リング３を備えた撮像レンズ突出し部２が設けられ、他端側の上方位置にストロボライト４が設けられるとともに、前記撮像レンズ突出し部２の近傍に、マイク孔５が設けられている。
【００２１】
また、カメラケース１の上面には、シャッタボタン６と電源スイッチ７が設けられており、後面には、図示しないモニタ表示部とメニューキー及びズームボタン等が設けられている。
【００２２】
そして、前記カメラケース１内には、前記撮像レンズ突出し部２に対応させて、前記撮像レンズ突出し部２からカメラ前方に突出される２段伸縮型の可動鏡筒９ａ，９ｂを備えたズーミング撮像レンズ８が配置されており、この撮像レンズ８の後側に、図示しない固体撮像素子が配置されている。
【００２３】
また、前記カメラケース１内の前記撮像レンズ８の側方のスペースには、デジタルカメラのメイン回路及びマイク回路（図示せず）を形成した回路基板１０が設けられており、この回路基板１０の一方の面の所定箇所に、音声用マイク部品１１ａとカメラ内ノイズ用マイク部品（以下、ノイズ用マイク部品という）１１ｂが互いに隣り合わせて搭載されている。
【００２４】
なお、前記回路基板１０に形成されたマイク回路は、前記音声用マイク部品１１ａの出力信号から、前記ノイズ用マイク部品１１ｂの出力信号をキャンセルする信号処理部を有している。
【００２５】
音声用マイク部品１１ａとノイズ用マイク部品１１ｂは、同じ構造のものであり、図３及び図４に示したように、１つの面に外部音を取込むための音孔１３を有する箱状パッケージ１２内に、電極基板１４上に設けられたシリコン半導体マイクロフォン素子１５が、その音感知面を前記音孔１３に対向させて収容され、前記パッケージ１２の音孔形成面とは反対面にマイク回路接続端子１６が設けられたシリコンマイクからなっている。
【００２６】
音声用マイク部品１１ａとノイズ用マイク部品１１ｂはそれぞれ、前記回路基板１０の一方の面に、その音孔形成面とは反対面（マイク回路接続端子１６の形成面）をボンディングして搭載されている。
【００２７】
さらに、前記回路基板１０のマイク部品搭載側には、前記音声用とノイズ用の２つのマイク部品１１ａ，１１ｂのうち、音声用マイク部品１１ａの音孔１３に対応する貫通孔１８が設けられたゴム等の気密性弾性材からなる防音部材１７が設けられている。
【００２８】
この防音部材１７は、前記２つのマイク部品１１ａ，１１ｂの音孔形成面に当接する頂面部１７ａと前記２つのマイク部品１１ａ，１１ｂの周囲を囲む周面部１７ｂとを有し、前記頂面部１７ａの一端側に、前記音声用マイク部品１１ａの音孔１３に対応する貫通孔が設けられたキャップ状部材からなっている。
【００２９】
なお、このキャップ状防音部材１７の周面部１７ｂは、前記２つのマイク部品１１ａ，１１ｂの外周面（２つのマイク部品１１ａ，１１ｂの互いに隣り合う面を除く周面）に略密に嵌合する矩形筒状に形成されており、また、この周面部１７ｂの高さは、前記頂面部１７ａを前記マイク部品１１ａ，１１ｂの音孔形成面に当接させたときに、この周面部１７ｂの端面が前記回路基板１０面に密着するように設定されている。
【００３０】
前記キャップ状防音部材１７は、前記頂面部１７ａを前記マイク部品１１ａ，１１ｂの前記２つのマイク部品１１ａ，１１ｂに被せて設けられている。
【００３１】
また、前記２つのマイク部品１１ａ，１１ｂの音孔形成面と前記キャップ状防音部材１７の頂面部１７ａとの間には、その間に挟持させて、前記キャップ状防音部材１７の周面部１７ｂで囲まれた領域と略同じ面積を有する防塵ネット１９が設けられている。
【００３２】
そして、前記回路基板１０は、そのマイク部品搭載面を前記カメラケース１のマイク孔形成面（前面）に対向させるとともに、前記音声用マイク部品１１ａの音孔１３を前記カメラケース１のマイク孔５に対向させて配置され、前記マイク部品１１ａ，１１ｂの音孔形成面と前記カメラケース１のマイク孔形成面との間に前記キャップ状防音部材１７の頂面部１７ａを圧縮状態で挟持させるとともに、前記キャップ状防音部材１７の周面部１７ｂの端面を前記回路基板１０面に密着させて、ビス止め等の手段により前記カメラケース１内に固定されている。
【００３３】
このマイク付きデジタルカメラは、マイク孔５を有するカメラケース１内に、一方の面の所定箇所に、外部音を取込むための音孔１３を有し内部にマイクロフォン素子１５を収容した音声用マイク部品１１ａとノイズ用マイク部品１１ｂとを、それぞれの音孔形成面とは反対面をボンディングして搭載した回路基板１０を、前記音声用マイク部品１１ａの音孔１３を前記カメラケース１のマイク孔５に対向させて配置するとともに、前記音声用とノイズ用の２つのマイク部品１１ａ，１１ｂに対応させて、前記２つのマイク部品１１ａ，１１ｂの音孔形成面に当接する頂面部１７ａと前記２つのマイク部品１１ａ，１１ｂの周囲を囲む周面部１７ｂとを有し、前記頂面部１７ａに、前記音声用マイク部品１１ａの音孔１３に対応する貫通孔が設けられた気密性弾性材からなるキャップ状防音部材１７を、前記２つのマイク部品１１ａ，１１ｂに被せて設け、前記回路基板１０を、前記２つのマイク部品１１ａ，１１ｂの音孔形成面と前記カメラケース１のマイク孔形成面との間に前記キャップ状防音部材１７の頂面部１７ａを圧縮状態で挟持させて前記カメラケース１内に固定しているため、前記音声用マイク部品１１ａの音孔１３を前記キャップ状防音部材１７により前記カメラケース１内の空間から遮蔽し、前記音声用マイク部品１１ａにカメラ内のノイズ音（撮像レンズ８に備えさせたズーミングモータのうなり音や、ズーミングによる振動音）を拾わせないようにすることができる。
【００３４】
しかも、このマイク付きデジタルカメラは、前記音声用とノイズ用の２つのマイク部品１１ａ，１１ｂを前記回路基板１０に搭載し、前記キャップ状防音部材１７を、その頂面部１７ａを前記２つのマイク部品１１ａ，１１ｂの音孔形成面と前記カメラケース１のマイク孔形成面との間に挟持させているため、カメラの組立て工程を簡略化し、容易に組立てることができる。
【００３５】
また、このマイク付きデジタルカメラは、前記防音部材１７を、前記２つのマイク部品１１ａ，１１ｂの音孔形成面に当接する頂面部１７ａと前記２つのマイク部品１１ａ，１１ｂの周囲を囲む周面部１７ｂとを有し、前記頂面部１７ａに前記音声用マイク部品１１ａの音孔１３に対応する貫通孔１８が設けられたキャップ状部材とし、このキャップ状防音部材１７を、前記２つのマイク部品１１ａ，１１ｂに被せて設けているため、カメラ内のノイズ音が前記音声用マイク部品１１ａの周面に伝わるのを防ぎ、より効果的に、前記音声用マイク部品１１ａにカメラ内のノイズ音を拾わせないようにするとともに、カメラの組立てをさらに容易にすることができる。
【００３６】
なお、前記キャップ状防音部材１７の周面部１７ｂは、上述したように、前記２つのマイク部品１１ａ，１１ｂの外周面に略密に嵌合する矩形筒状に形成されているため、前記回路基板１０をカメラケース１内に配置して固定する作業中に、前記マイク部品１１ａ，１１ｂに被せて設けたキャップ状防音部材１７が脱落することはない。
【００３７】
また、前記キャップ状防音部材１７の周面部１７ｂは、上述したように、その端面が前記回路基板１０面に密着する高さを有しているため、カメラ内のノイズ音が前記マイク部品１１ａ，１１ｂの周面に伝わるのを、前記キャップ状防音部材１７によりさらに確実に防ぎ、さらに効果的に、前記音声用マイク部品１１ａにカメラ内のノイズ音を拾わせないようにすることができる。
【００３８】
さらに、このマイク付きデジタルカメラは、前記音声用マイク部品１１ａの音孔形成面と前記キャップ状防音部材１７の頂面部１７ａとの間に防塵ネット１９を設けているため、カメラケース１のマイク孔５から入り込んだ塵による音声用マイク部品１１ａの性能低下や故障を防ぐことができる。
【００３９】
しかも、この実施例では、前記防塵ネット１９を、前記音声用とノイズ用の２つのマイク部品１１ａ，１１ｂの音孔形成面と前記キャップ状防音部材１７の頂面部１７ａとの間に挟持させているため、この防塵ネット１９を簡単な作業で組込むことができ、また、前記防塵ネット１９の面積を前記キャップ状防音部材１７の周面部１７ｂで囲まれた領域と略同じにしているため、衝撃等による防塵ネット１９のずれ動きを防ぐことができる。
【００４０】
また、このマイク付きデジタルカメラは、前記回路基板１０の一方の面に、前記音声用マイク部品１１ａと隣り合わせて、前記音声用マイク部品１１ａと同構造のノイズ用マイク部品１１ｂを、その音孔形成面とは反対面をボンディングして搭載し、前記音声用とノイズ用の２つのマイク部品１１ａ，１１ｂに、その２つのマイク部品１１ａ，１１ｂの音孔形成面に当接する頂面部１７ａと前記２つのマイク部品１１ａ，１１ｂの周囲を囲む周面部１７ｂとを有し、前記頂面部１７ａに、前記２つのマイク部品１１ａ，１１ｂのうちの音声用マイク部品１１ａの音孔１３に対応する貫通孔１８が設けられたキャップ状防音部材１７を被せているため、前記キャップ状防音部材１７で遮られずに前記音声用マイク部品１１ａに拾われたカメラ内ノイズ（例えば回路基板１０を介して伝わったノイズ）と同じノイズを前記ノイズ用マイク部品１１ｂに拾わせ、前記回路基板１０に形成されたマイク回路での前記音声用マイク部品１１ａの出力信号から前記ノイズ用マイク部品１１ｂの出力信号をキャンセルする信号処理により、カメラ内ノイズを含まない良好な音声信号を得ることができる。
【００４１】
なお、上記実施例では、前記音声用マイク部品１１ａの音孔形成面と前記キャップ状防音部材１７の頂面部１７ａとの間に、前記キャップ状防音部材１７の周面部１７ｂで囲まれた領域と略同じ面積を有する防塵ネット１９を設けているが、この防塵ネット１９は、少なくとも前記キャップ状防音部材１７の貫通孔１８の全域に対応する面積を有していればよい。
【００４２】
その場合は、前記防塵ネット１９を、前記キャップ状防音部材１７の頂面部１７ａと前記音声用マイク部品１１ａの音孔形成面のいずれかに両面粘着テープで貼付けるか、あるいは前記キャップ状防音部材１７の頂面部１７ａと前記音声用マイク部品１１ａの音孔形成面のいずれかに凹入部を形成してその凹入部に防塵ネット１９を嵌込むのが望ましく、このようにすることにより、防塵ネット１９の組込みを簡単にするとともに、衝撃等による防塵ネット１９のずれ動きを防ぐことができる。
【００４３】
また、上記実施例では、前記キャップ状防音部材１７の頂面部１７ａの一端側に貫通孔１８を設けているが、前記頂面部１７ａの両端側の互いに対称な位置にそれぞれ貫通孔を設け、前記キャップ状防音部材１７をその一端側と他端側とを逆にしてマイク部品１１ａ，１１ｂに被せたときは前記他端側の貫通孔が音声用マイク部品１１ａの音孔１３に対応するようにしてもよい。
【００４４】
なお、その場合は、前記キャップ状防音部材１７の２つの貫通孔の一方がノイズ用マイク部品１１ｂの音孔１３に対応するが、その貫通孔はカメラケース１のマイク孔形成面により塞がれるため、前記ノイズ用マイク部品１１ｂが外部音を拾うことはない。
【００４５】
また、上記実施例では、前記回路基板１０に、音声用マイク部品１１ａと隣り合わせてノイズ用マイク部品１１ｂを搭載しているが、このノイズ用マイク部品１１ｂは省略してもよく、その場合は、音声用マイク部品１１ａに、その音孔形成面に当接する頂面部と前記音声用マイク部品１１ａの周囲を囲む周面部とを有し、前記頂面部に前記音声用マイク部品１１ａの音孔１３に対応する貫通孔が設けられたキャップ状防音部材を被せればよい。
【００４６】
さらに、上記実施例では、前記防音部材１７をキャップ状部材としているが、防音部材は、音声用マイク部品１１ａ（回路基板１０に音声用とノイズ用のマイク部品１１ａ，１１ｂを搭載する場合は、その２つのマイク部品）の少なくとも音孔形成面に当接する形状を有するものであれば、例えば音声用マイク部品１１ａの音孔形成面だけに当接する板状部材に前記音声用マイク部品１１ａの音孔１３に対応する貫通孔を設けたものでもよく、その場合も、前記回路基板１０を前記音声用マイク部品１１ａの音孔形成面とカメラケース１のマイク孔形成面との間に前記防音部材を圧縮状態で挟持させて前記カメラケース１内に固定することにより、音声用マイク部品１１ａの音孔１３を前記防音部材により前記カメラケース１内の空間から遮蔽し、前記音声用マイク部品１１ａにカメラ内のノイズ音を拾わせないようにし、しかもデジタルカメラの組立て容易にすることができる。
【００４７】
また、この発明は、マイク付きデジタルカメラに限らず、例えば携帯電話機等のマイク付き電子機器にも適用することができる。
【図面の簡単な説明】
【００４８】
【図１】この発明の一実施例を示すマイク付きデジタルカメラの斜視図。
【図２】前記デジタルカメラのマイク部を切開した斜視図。
【図３】前記マイク部の拡大断面図。
【図４】前記マイク部の分解斜視図。
【符号の説明】
【００４９】
１…カメラケース、５…マイク孔、１０…回路基板、１１ａ…音声用マイク部品、１１ｂ…カメラ内ノイズ用マイク部品、１２…パッケージ、１３…音孔、１５…マイクロフォン素子、１６…マイク回路接続端子、１７…キャップ状防音部材、１７ａ…頂面部、１７ｂ…周面部、１８…貫通孔、１９…防塵ネット。
【図１】
2006352342.tif 000003
【図２】
2006352342.tif 000004
【図３】
2006352342.tif 000005
【図４】
2006352342.tif 000006